(57)【要約】【課題】ユーザーにかかる負担を抑えることが可能なプロジェクターの制御方法、及びプロジェクターを提供する。【解決手段】識別画像が配置された場所に設置され、外部の無線機器と通信が可能なプロジェクターの制御方法であって、識別画像を撮像し、撮像された識別画像から、識別情報を取得し、識別情報と無線機器とが対応付けられた対応情報に基づいて、取得した識別情報に対応する無線機器に接続して通信を行う。【選択図】図６
2020144210.tif 000002
【特許請求の範囲】
【請求項１】
外部の無線機器と通信が可能なプロジェクターの制御方法であって、
前記プロジェクターが設置された場所に配置された識別画像を撮像し、
撮像された前記識別画像から、識別情報を取得し、
前記識別情報と前記無線機器とが対応付けられた対応情報に基づいて、取得した前記識別情報に対応する前記無線機器に接続して通信を行うことを特徴とするプロジェクターの制御方法。
【請求項２】
請求項１に記載のプロジェクターの制御方法であって、
前記プロジェクターが設置されたことを検知し、前記プロジェクターの設置が検知された場合に、前記識別画像を撮像することを特徴とするプロジェクターの制御方法。
【請求項３】
請求項１又は請求項２に記載のプロジェクターの制御方法であって、
前記識別画像は、ＱＲコードであることを特徴とするプロジェクターの制御方法。
【請求項４】
外部の無線機器と通信が可能なプロジェクターであって、
前記プロジェクターが設置された場所に配置された識別画像を撮像する撮像部と、
前記撮像部で撮像された前記識別画像から、識別情報を取得する取得部と、
前記識別情報と前記無線機器とが対応付けられた対応情報に基づいて、前記取得部が取得した前記識別情報に対応する前記無線機器に接続して通信を行う無線通信部と、
を備えたことを特徴とするプロジェクター。
【請求項５】
請求項４に記載のプロジェクターであって、
前記プロジェクターが配置されたことを検知する検知部を備え、
前記撮像部は、前記検知部が前記プロジェクターの設置を検知した場合に、前記識別画像を撮像することを特徴とするプロジェクター。
【請求項６】
請求項４又は請求項５に記載のプロジェクターであって、
前記識別画像は、ＱＲコードであることを特徴とするプロジェクター。
【発明の詳細な説明】
【技術分野】
【０００１】
本発明は、プロジェクターの制御方法、及びプロジェクターに関する。
【背景技術】
【０００２】
プロジェクターは、移動可能である場合、様々な場所に持ち運んで用いられる。特許文献１には、プロジェクターを設置した際、その場所に取り付けられたＩＣタグからプロジェクターが動作設定情報を読み取り、自動でプロジェクターの動作設定を行うことで、ユーザーは手間や時間をかけずにプロジェクターの設定を行う技術が開示されている。
【先行技術文献】
【特許文献】
【０００３】
【特許文献１】特開２００５−１６４９３０号公報
【発明の概要】
【発明が解決しようとする課題】
【０００４】
しかしながら、特許文献１には、使用する場所に応じてプロジェクターの動作設定を行うことが記載されているものの、プロジェクターと無線機器との接続については開示されていない。このため、例えば、無線による音声の出力先を、使用する場所によって変更したい場合には、都度、ユーザーが変更のための操作をする必要があり、ユーザーに多大な負担を与えるという課題がある。
【課題を解決するための手段】
【０００５】
本願のプロジェクターの制御方法は、外部の無線機器と通信が可能なプロジェクターの制御方法であって、前記プロジェクターが設置された場所に配置された識別画像を撮像し、撮像された前記識別画像から、識別情報を取得し、前記識別情報と前記無線機器とが対応付けられた対応情報に基づいて、取得した前記識別情報に対応する前記無線機器に接続して通信を行うことを特徴とする。
【０００６】
上記のプロジェクターの制御方法において、前記プロジェクターが設置されたことを検知し、前記プロジェクターの設置が検知された場合に、前記識別画像を撮像することが望ましい。
【０００７】
上記のプロジェクターの制御方法において、前記識別画像は、ＱＲコードであることが望ましい。
【０００８】
本願のプロジェクターは、外部の無線機器と通信が可能なプロジェクターであって、前記プロジェクターが設置された場所に配置された識別画像を撮像する撮像部と、前記撮像部で撮像された前記識別画像から、識別情報を取得する取得部と、前記識別情報と前記無線機器とが対応付けられた対応情報に基づいて、前記取得部が取得した前記識別情報に対応する前記無線機器に接続して通信を行う無線通信部と、を備えたことを特徴とする。
【０００９】
上記のプロジェクターにおいて、前記プロジェクターが配置されたことを検知する検知部を備え、前記撮像部は、前記検知部が前記プロジェクターの設置を検知した場合に、前記識別画像を撮像することが望ましい。
【００１０】
上記のプロジェクターにおいて、前記識別画像は、ＱＲコードであることが望ましい。
【図面の簡単な説明】
【００１１】
【図１】投写システムの構成を示す概略斜視図。
【図２】第１投写システムの構成を分解して示す分解斜視図。
【図３】第１投写システムの一部の構成を示す概略断面図。
【図４】プロジェクターの概略構成を示すブロック図。
【図５】プロジェクターが備える画像投写部の概略構成を示すブロック図。
【図６】プロジェクターの制御方法を示すフローチャート。
【図７】プロジェクターの制御方法のうち一部の工程の投写画像を示す模式図。
【図８】識別画像の生成方法を示すフローチャート。
【図９】プロジェクターの制御方法のうち一部の工程の投写画像を示す模式図。
【発明を実施するための形態】
【００１２】
以下、実施形態のプロジェクター、及びプロジェクターの制御方法について、図面を参照して説明する。
【００１３】
図１は、本実施形態の投写システムの構成を示す概略斜視図である。以下、投写システムの構成を、図１を参照しながら説明する。なお、図１は、１つのプロジェクターを２つの投写システムで使用する場合の構成を示している。
【００１４】
図１の左側に示すように、第１投写システム１００は、プロジェクター１と、投写面２ａと、無線機器としての第１スピーカー３ａと、を備えている。プロジェクター１は、持ち運んで移動させることが可能であり、外部から入力される画像情報又は予め内部に記憶されている画像情報に基づく画像を、投写面２ａに投写する。
【００１５】
投写面２ａとしては、例えば、スクリーンやホワイトボード等を用いることができる。第１スピーカー３ａは、プロジェクター１と無線で接続されており、画像に対応した音声を出力する。無線通信方式としては、例えば、Bluetooth（登録商標）を採用することができる。第１スピーカー３ａは、例えば、天井に吊られて設置されている。
【００１６】
一方、図１の右側に示すように、第２投写システム２００は、プロジェクター１と、投写面２ｂと、無線機器としての第２スピーカー３ｂと、を備えている。プロジェクター１は、第１投写システム１００で使用するものと同じである。即ち、第１投写システム１００及び第２投写システム２００は、１つのプロジェクター１をどちらか一方に配置することで構成される。
【００１７】
投写面２ｂとしては、例えば、投写面２ａと同様のものを用いることができる。第２スピーカー３ｂは、第１スピーカー３ａと同様、プロジェクター１と無線で接続されており、画像に対応した音声を出力する。第２スピーカー３ｂは、例えば、ホームシアター用のスピーカーである。
【００１８】
図２は、第１投写システムの構成を示す斜視図である。図３は、第１投写システムの一部の構成を示す概略断面図である。以下、第１投写システムの構成を、図２及び図３を参照しながら説明する。
【００１９】
図２に示すように、第１投写システム１００は、プロジェクター１の設置面４に配置された識別画像５と、設置面４に設置されるプロジェクター１と、プロジェクター１から投写画像６が投写される投写面２ａと、プロジェクター１と無線で接続された第１スピーカー３ａとを備えている。具体的には、識別画像５は、用紙に印刷され、設置面４に貼り付けられている。識別画像５は、例えば、ＱＲコード（登録商標）であり、本実施形態の識別画像５には、設置場所を表す情報が識別情報として格納されている。
【００２０】
具体的には、プロジェクター１は、図３に示すように、本体１ａの下面１ｂの略中央部に、識別画像５を撮像するための撮像部１５と、撮像用光源８とを備えている。撮像部１５としては、例えば、ＣＣＤ（Charge Coupled Device）センサーやＣＭＯＳ（Complementary Metal Oxide Semiconductor）センサーを備えたカメラが挙げられる。撮像用光源８としては、撮像部１５によって撮像された識別画像５が、後述する識別画像解析部３２で解析し得る明るさを照射することが可能な発光ダイオード等のライトが挙げられる。
【００２１】
また、プロジェクター１の本体１ａの下面１ｂの四隅には、設置面４に配置された識別画像５を撮像部１５によって撮像するべく、設置面４から所定の距離を離すための脚部１１が備えられている。また、脚部１１のいずれか一つには、設置面４にプロジェクター１を設置したことを検知する検知部としての設置検知部１４が備えられている。設置検知部１４としては、例えば、押圧スイッチ、接触センサー、衝撃センサー、照度センサーなどを挙げることができる。
【００２２】
プロジェクター１は、設置面４に設置され、設置検知部１４によって設置が検知されると、撮像用光源８と撮像部１５の電源をＯＮにする。更に、プロジェクター１は、撮像部１５で識別画像５を撮像し、識別画像解析部３２で解析して、プロジェクター１の設置場所の情報を読み取ったら、設置場所に設置された第１スピーカー３ａと無線通信を行う。
【００２３】
図４は、プロジェクターの概略構成を示すブロック図である。図５は、プロジェクターが備える画像投写部の概略構成を示すブロック図である。以下、プロジェクターの概略構成、及び画像投写部の概略構成を、図４及び図５を参照しながら説明する。
【００２４】
図４に示すように、プロジェクター１は、制御部１０と、記憶部１２と、入力操作部１３と、設置検知部１４と、撮像部１５と、電源回路部１６と、画像音声供給装置１７と、画像音声入力部１８と、画像音声処理部１９と、画像投写部２０と、無線通信部３１と、撮像用光源８と、を一体的に備えて構成されている。プロジェクター１は、画像音声入力部１８に入力される画像情報に基づいて、画像投写部２０から投写面２に投写画像６を投写する。
【００２５】
制御部１０は、１つ又は複数のプロセッサーを備えて構成され、記憶部１２に記憶されている制御プログラムに従って動作することによりプロジェクター１の動作を統括制御する。
【００２６】
記憶部１２は、ＲＡＭ（Random Access Memory）及びＲＯＭ（Read Only Memory）等のメモリーを備えて構成される。ＲＡＭは、各種データ等の一時記憶に用いられ、ＲＯＭは、プロジェクター１の動作を制御するための制御プログラムや制御データ等を記憶する。また、記憶部１２は、画像投写部２０から投写するための画像情報を記憶していてもよい。
【００２７】
入力操作部１３は、ユーザーがプロジェクター１に対して各種指示を行うための複数の操作キーを備えている。入力操作部１３が備える操作キーとしては、電源のＯＮとＯＦＦオフ、即ち後述する通常モードとスタンバイモードとを切り替えるための電源キー、各種設定を行うためのメニュー画面を表示させるメニューキー、メニュー画面上で項目を選択するための方向キー、選択した項目を確定させる際等に用いられる決定キー等がある。ユーザーが入力操作部１３の各種操作キーを操作すると、入力操作部１３は、ユーザーの操作内容に応じた操作信号を制御部１０に出力する。なお、遠隔操作が可能な図示しないリモコンを、入力操作部１３として用いる構成としてもよい。この場合、リモコンは、ユーザーの操作内容に応じた赤外線の操作信号を発信し、図示しないリモコン信号受信部がこれを受信して制御部１０に伝達する。
【００２８】
設置検知部１４は、プロジェクター１を設置面４に設置したとき、設置面４への接触を検知する。設置検知部１４は、上記したように、押圧スイッチなどである。設置検知部１４は、設置面４への接触を検知すると、検知したことを示す検知信号を制御部１０に送る。
【００２９】
撮像部１５は、ＣＣＤセンサー、或いはＣＭＯＳセンサー等の図示しない撮像素子を備えたカメラである。具体的には、撮像部１５は、設置検知部１４によって設置面４へのプロジェクター１の設置が検知されると、制御部１０の指示により、設置面４上に配置された識別画像５を撮像する。
【００３０】
撮像用光源８は、例えば、ＬＥＤなどによって構成されており、プロジェクター１を設置面４に設置した際、識別画像５を明るくするために用いられる。
【００３１】
電源回路部１６には、外部からＡＣ１００Ｖ等の図示しない商用電源が供給される。電源回路部１６は、交流の商用電源を所定の電圧の直流電源に変換して、プロジェクター１の各部に電力を供給する。各部への供給経路については、図示を省略する。制御部１０は、電源回路部１６を制御して、各部への電力供給を開始したり、停止したりすることができる。
【００３２】
プロジェクター１の制御部１０は、制御プログラムによって実現される機能ブロックとして、識別画像解析部３２と、識別画像生成部３３と、を備えている。
【００３３】
識別画像解析部３２は、撮像部１５で撮像された識別画像５を解析し、識別画像５に格納されている識別情報、即ち設置場所を表す情報を取得する。識別画像解析部３２は、取得部に相当する。
【００３４】
識別画像生成部３３は、識別情報を格納した識別画像５を生成する。
【００３５】
本実施形態の記憶部１２は、対応情報としての対応テーブル３４を記憶している。対応テーブル３４には、上述した識別情報と、プロジェクター１と無線接続される無線機器を表す情報と、が対応付けて記憶されている。これ以降、無線機器を表す情報を「対応情報」とも呼ぶ。
【００３６】
画像音声入力部１８は、複数の入力端子を備えており、コンピューターや画像再生装置等の外部の画像音声供給装置１７に接続され、画像音声供給装置１７から画像情報や音声情報の供給を受ける。また、画像音声入力部１８は、制御部１０から、記憶部１２に記憶されている画像情報や音声情報の供給を受けることができる。画像音声入力部１８は、入力された画像情報や音声情報を画像音声処理部１９に出力する。
【００３７】
画像音声処理部１９は、制御部１０の制御に基づいて、画像音声入力部１８から入力される画像情報や音声情報に対して様々な処理を施す。画像音声処理部１９は、処理後の画像情報を画像投写部２０のライトバルブ駆動部２４（図５参照）に出力する。また、画像音声処理部１９は、処理後の音声情報を無線通信部３１に出力する。
【００３８】
なお、画像音声入力部１８及び画像音声処理部１９は、１つ又は複数のプロセッサー等によって構成されてもよいし、ＡＳＩＣ（Application Specific Integrated Circuit）やＦＰＧＡ（Field Programmable Gate Array）等の専用の処理装置によって構成されてもよい。
【００３９】
無線通信部３１は、制御部１０の制御によって、無線機器、即ち、第１スピーカー３ａや第２スピーカー３ｂとの間で無線通信を実行する。無線通信部３１の無線通信方式には、上記したように、Bluetooth（登録商標）などの近距離無線方式を採用することができる。また、無線通信部３１は、識別画像５を印刷するためのプリンター４０にも接続され得る。
【００４０】
図５に示すように、画像投写部２０は、光源２１、光変調装置としての３つの液晶ライトバルブ２２Ｒ，２２Ｇ，２２Ｂ、投写光学系２３、ライトバルブ駆動部２４等を備えて構成されている。画像投写部２０は、光源２１から射出された光を、液晶ライトバルブ２２Ｒ，２２Ｇ，２２Ｂで変調して画像光を形成し、レンズ及びミラーの少なくとも一方を含む投写光学系２３からこの画像光を投写して投写面２に画像を表示する。
【００４１】
光源２１は、超高圧水銀ランプやメタルハライドランプ等の放電型の光源ランプ、又は発光ダイオードや半導体レーザー等の固体光源を含んで構成されている。光源２１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ２２Ｒ，２２Ｇ，２２Ｂに入射する。
【００４２】
液晶ライトバルブ２２Ｒ，２２Ｇ，２２Ｂは、それぞれ一対の透明基板間に液晶が封入された透過型の液晶パネル等によって構成される。各液晶パネルには、マトリクス状に配列された複数の画素からなる矩形の画像形成領域２２ｉが形成されており、液晶に対して画素毎に駆動電圧を印加可能になっている。
【００４３】
ライトバルブ駆動部２４は、液晶ライトバルブ２２Ｒ，２２Ｇ，２２Ｂの画像形成領域２２ｉに画像を形成する。具体的には、ライトバルブ駆動部２４は、画像音声処理部１９から入力される画像情報に応じた駆動電圧を、画像形成領域２２ｉの各画素に印加することにより、各画素を画像情報に応じた光透過率に設定する。光源２１から射出された光は、液晶ライトバルブ２２Ｒ，２２Ｇ，２２Ｂの画像形成領域２２ｉを透過することによって画素毎に変調され、画像情報に応じた画像光が色光毎に形成される。形成された各色の画像光は、図示しない色合成光学系によって画素毎に合成されてカラー画像を表す画像光となり、投写光学系２３によって投写面２に拡大投写される。この結果、投写面２上には、画像音声入力部１８に入力された画像情報に基づく画像が表示される。
【００４４】
図６は、プロジェクターの制御方法を示すフローチャートである。図７は、プロジェクターの制御方法のうち一部の工程の投写画像を示す模式図である。以下、プロジェクターの制御方法を、図６及び図７を参照しながら説明する。ユーザーがプロジェクター１の電源を投入すると、制御部１０は、図６に示すフローに従って動作を開始する。なお、動作開始時において、プロジェクター１は、スタンバイモードになっている。即ち、画像投写部２０から画像が投写されていない状態である。
【００４５】
ステップＳ１１では、制御部１０は、設置面４にプロジェクター１が設置されて、設置検知部１４が設置を検知したか否かを判断する。設置検知部１４が設置を検知していれば、ステップＳ１２に処理を移行する。設置検知部１４が設置を検知していなければ、ステップＳ１１の処理を繰り返す。
【００４６】
ステップＳ１２では、制御部１０は、撮像部１５に、設置面４上の識別画像５を撮像させる。具体的には、ステップＳ１１において、設置検知部１４が設置を検知すると、制御部１０は、撮像用光源８を発光させ、撮像部１５に識別画像５を撮像するように指示をする。
【００４７】
ステップＳ１３では、制御部１０は、識別画像解析部３２に、撮像された画像を解析させ、撮像された画像に含まれる識別画像５から識別情報を取得させる。そして、制御部１０は、識別画像解析部３２が識別情報を取得できたか否かを判断する。識別情報を取得できれば、ステップＳ１４に処理を移行する。識別画像５が存在しない場合、汚れている場合等、識別情報を取得できなければ、ステップＳ１９に処理を移行する。
【００４８】
ステップＳ１４では、制御部１０は、電源回路部１６に、プロジェクター１の電源をＯＮにさせる。具体的には、プロジェクター１を、スタンバイモードから通常モードに切り替える。通常モードは、画像投写部２０の光源２１が点灯し、画像の投写が可能な状態である。
【００４９】
ステップＳ１５では、制御部１０は、対応テーブル３４を参照して、取得した識別情報が対応テーブル３４に登録されているか否か、即ち取得した識別情報が無線機器に対応付けられて対応テーブル３４に記憶されているか否かを判断する。対応テーブル３４に識別情報が登録されていれば、ステップＳ１６に処理を移行する。対応テーブル３４に識別情報が記憶されていなければ、ステップＳ２２に処理を移行する。
【００５０】
ステップＳ１６では、制御部１０は、無線通信部３１に指示をして、対応テーブル３４に基づいて、取得した識別情報に対応付けられた無線機器に接続させる。ここでは、例えば、第１スピーカー３ａに接続させる。
【００５１】
ステップＳ１７では、制御部１０は、無線通信部３１に指示をして、音声情報を第１スピーカー３ａに出力させ、音声情報に基づく音声の出力を開始させる。このように、プロジェクター１を識別画像５が配置された設置面４に設置することにより、自動でプロジェクター１と第１スピーカー３ａとを無線接続させることができる。
【００５２】
ステップＳ１８では、制御部１０は、画像投写部２０に、画像情報に基づく画像の投写を開始させて、このフローを終了する。以上により、画像の投写と音声の出力とを行うことができる。
【００５３】
ステップＳ１９では、制御部１０は、設置検知部１４がプロジェクター１の設置を検知しているか否かを判断する。プロジェクター１が設置面４に設置されたままであれば、ステップＳ２０に処理を移行する。プロジェクター１がユーザーによって持ち上げられ、設置が検知されていなければ、ステップＳ１１に処理を移行し、再びプロジェクター１が設置されるまで待機する。
【００５４】
ステップＳ２０では、制御部１０は、ユーザーにより入力操作部１３の電源キーが操作されたか否かを判断する。電源キーが操作された場合、ステップＳ２１に処理を移行する。電源キーが操作されていない場合は、ステップＳ１９に処理を移行し、再びプロジェクター１が設置され直すか、電源キーが操作されるのを待機する。
【００５５】
ステップＳ２１では、制御部１０は、電源回路部１６に、プロジェクター１の電源をＯＮにさせ、ステップＳ１８に処理を移行する。この結果、プロジェクター１は、画像情報に基づく画像を投写する。ただし、この場合には、スピーカー３ａ等の無線機器との接続は行われないため、音声の出力を行う場合には、ユーザーは、接続のための操作を別途行う必要がある。
【００５６】
ステップＳ２２では、制御部１０は、対応テーブル３４に識別情報を新規に登録するか否かをユーザーに問い合わせ、入力操作部１３によるユーザーの指示を待機する。新規登録する指示がなされた場合は、ステップＳ２３に処理を移行する。新規登録しない指示がなされた場合は、ステップＳ１８に処理を移行し、制御部１０は、画像投写部２０に、画像情報に基づく画像を投写させて、フローを終了する。この場合にも、無線機器との接続は行われないため、音声の出力を行う場合には、ユーザーは、接続のための操作を別途行う必要がある。
【００５７】
ステップＳ２３では、制御部１０は、無線通信部３１から応答を要求するコマンドを送信し、プロジェクター１と無線通信が可能な無線機器を検索する。
【００５８】
ステップＳ２４では、制御部１０は、図７に示すように、検索結果に基づいて、無線通信が可能な無線機器の一覧表を画像投写部２０から投写面２に表示し、ユーザーにいずれか１つの無線機器を選択させる。ユーザーは、入力操作部１３を操作して、一覧表で１つの項目を指定して決定キーを操作することにより、無線機器を選択することができる。
【００５９】
ステップＳ２５では、制御部１０は、ユーザーによって、無線機器の一覧表からいずれかが選択されたか否かを判断する。項目が選択されれば、ステップＳ２６に処理を移行する。選択されなければ、ステップＳ２５の処理を繰り返す。
【００６０】
ステップＳ２６では、制御部１０は、ユーザーによって選択された無線機器を対応テーブル３４に登録する。具体的には、制御部１０は、ステップＳ２４で選択された無線機器の対応情報を、ステップＳ１３で取得された識別情報に対応付けて対応テーブル３４に記憶する。その後、制御部１０は、ステップＳ１６に移行し、選択された無線機器に接続して音声情報の出力を開始した後に、画像情報に基づく画像の投写を開始する。
【００６１】
図８は、識別画像の生成方法を示すフローチャートである。図９は、プロジェクターの制御方法のうち一部の工程の投写画像を示す模式図である。以下、識別画像５の生成方法を、図７〜図９を参照しながら説明する。ユーザーがメニュー画面から識別画像生成の項目を選択すると、制御部１０は、図８に示すフローに従って動作を開始する。
【００６２】
ステップＳ１０１では、制御部１０は、記憶部１２から対応テーブル３４を読み出す。
【００６３】
ステップＳ１０２では、制御部１０は、対応テーブル３４に含まれる識別情報に基づいて、画像投写部２０から設置場所の一覧表を表示させる。設置場所の一覧表の一例としては、図９に示すように、「リビング」や「ベッドルーム」と表記された項目が含まれるとともに、「未登録」と表記された項目が含まれている。「未登録」の項目は、新しい場所を登録する際に選択される項目である。
【００６４】
ステップＳ１０３では、制御部１０は、ユーザーによって、設置場所の一覧表の中からいずれか１つの項目が選択されたか否かを判断する。ユーザーは、入力操作部１３を操作して、一覧表で１つの項目を指定して決定キーを押すことにより、項目を選択することができる。項目が選択されれば、ステップＳ１０４に処理を移行する。選択されなければ、ステップＳ１０３の処理を繰り返す。
【００６５】
ステップＳ１０４では、制御部１０は、ユーザーによって選択された項目が、新しい場所を登録するための「未登録」であるか否かを判断する。「未登録」が選択された場合、ステップＳ１０５に処理を移行する。「リビング」や「ベッドルーム」等、既に登録されている場所の場合、ステップＳ１０６に処理を移行する。
【００６６】
ステップＳ１０５では、制御部１０は、入力操作部１３を介して、ユーザーによる新しい場所の入力を受け付ける。新しい設置場所としては、例えば、「マイルーム」と入力される。
【００６７】
ステップＳ１０６では、制御部１０は、無線通信部３１から応答を要求するコマンドを送信し、プロジェクター１と無線通信が可能な無線機器を検索する。
【００６８】
ステップＳ１０７では、制御部１０は、検索結果に基づいて、無線通信が可能な無線機器の一覧表を画像投写部２０から投写面２に表示し、ユーザーにいずれか１つの無線機器を選択させる。
【００６９】
ステップＳ１０８では、制御部１０は、ユーザーによって、無線機器の一覧表からいずれかが選択されたか否かを判断する。項目が選択されれば、ステップＳ１０９に処理を移行する。選択されなければ、ステップＳ１０８の処理を繰り返す。
【００７０】
ステップＳ１０９では、制御部１０は、ユーザーによって選択された無線機器を、設置場所に対応付けて対応テーブル３４に登録する。具体的には、ステップＳ１０３で選択された項目が「未登録」の場合には、制御部１０は、ステップＳ１０８で選択された無線機器の対応情報を、ステップＳ１０５で入力された新しい設置場所の識別情報に対応付けて対応テーブル３４に記憶する。また、ステップＳ１０３で選択された項目が「リビング」や「ベッドルーム」等、既に登録済みの場所の場合には、これらの場所の識別情報に対応付けられていた対応情報を、ステップＳ１０８で選択された無線機器の対応情報に変更し、対応テーブル３４を更新する。
【００７１】
ステップＳ１１０では、制御部１０は、識別画像生成部３３に指示をして、ステップＳ１０５でユーザーによって入力された新しい設置場所の識別情報、或いはステップＳ１０３でユーザーによって選択された登録済みの設置場所の識別情報を格納した識別画像５を生成させる。
【００７２】
ステップＳ１１１では、制御部１０は、生成した識別画像５の画像情報を、無線通信部３１からプリンター４０（図４参照）に出力させて、このフローを終了する。この結果、識別画像５が印刷された用紙がプリンター４０から出力され、ユーザーにより任意の設置面４に配置される。
【００７３】
以上説明したように、本実施形態のプロジェクター１の制御方法、及びプロジェクター１によれば、以下の効果を得ることができる。
【００７４】
（１）本実施形態によれば、識別画像５が配置された場所にプロジェクター１が配置されると、自動で、識別画像５から取得した識別情報に基づいて、設置場所に対応付けられた無線機器に接続されるので、ユーザーにかかる手間や時間を軽減することができる。
【００７５】
（２）本実施形態によれば、識別画像５としてＱＲコードを用いるので、例えば、ＩＣタグなどと比較して容易に作成することが可能となり、かかるコストを抑えることができる。具体的には、プリンター４０で印刷するだけで作成ができる。
【００７６】
（変形例）
また、上記実施形態は、以下のように変更してもよい。
【００７７】
上記した実施形態では、識別画像５に含まれる識別情報は、プロジェクター１を設置する設置場所の情報としたが、これに限定されず、プロジェクター１と接続する無線機器の情報や、それ以外の情報でもよい。
【００７８】
上記した実施形態では、プロジェクター１の記憶部１２に対応テーブル３４を備えていることに限定されず、例えば、図示しないネットワークを介して接続された外部のサーバーに対応テーブルをもたせ、識別情報を取得した後、サーバーに問い合わせて、識別情報に対応する無線機器と接続するようにしてもよい。
【００７９】
上記した実施形態では、１つの設置場所に対して１つの無線機器と対応させて接続させているが、これに限定されず、１つの設置場所に対して２つ以上の無線機器と対応させて接続させるようにしてもよい。
【００８０】
上記した実施形態では、バッテリーを搭載したプロジェクター１を例に説明したが、これに限定されず、コンセントに接続するプロジェクターを使用するようにしてもよい。この場合、接触センサーなどを用いることなく、コンセントに接続した段階で、ＱＲコードを取得させるようにしてもよい。
【００８１】
上記した実施形態では、用紙に印刷された識別画像５から識別情報を取得する構成を示したが、この態様に限定されない。例えば、識別画像５は、コースター状のものに印刷されていてもよい。また、プロジェクター１の設置場所に、識別情報を格納したＵＳＢメモリーやＩＣタグ等の外部記憶媒体を配置して、外部記憶媒体から識別情報を取得してもよい。また、識別情報を格納したメモリーを備えたドッキングステーションを設置場所に配置して、ドッキングステーションにプロジェクター１を接続させることで、識別情報を取得するようにしてもよい。
【００８２】
上記した実施形態では、外部からＡＣ１００Ｖの電源が供給されるプロジェクター１を例に説明したが、これに限定されず、バッテリーを備えたプロジェクターを用いるようにしてもよい。
【００８３】
上記実施形態では、光変調装置として、透過型の液晶ライトバルブ２２Ｒ，２２Ｇ，２２Ｂを用いているが、反射型の液晶ライトバルブ等、反射型の光変調装置を用いることも可能である。また、入射した光の射出方向を、画素としてのマイクロミラー毎に制御することにより、光源２１から射出された光を変調するデジタルミラーデバイス等を用いることもできる。また、色光別に複数の光変調装置を備える構成に限定されず、１つの光変調装置で複数の色光を時分割で変調する構成としてもよい。
【００８４】
以下に、実施形態から導き出される内容を記載する。
【００８５】
プロジェクターの制御方法は、外部の無線機器と通信が可能なプロジェクターの制御方法であって、前記プロジェクターが設置された場所に配置された識別画像を撮像し、撮像された前記識別画像から、識別情報を取得し、前記識別情報と前記無線機器とが対応付けられた対応情報に基づいて、取得した前記識別情報に対応する前記無線機器に接続して通信を行うことを特徴とする。
【００８６】
この方法によれば、識別画像が配置された場所にプロジェクターが配置されると、識別画像から取得した識別情報に対応する無線機器に接続されるので、ユーザーにかかる手間や時間を軽減することができる。
【００８７】
上記のプロジェクターの制御方法において、前記プロジェクターが設置されたことを検知し、前記プロジェクターの設置が検知された場合に、前記識別画像を撮像することが望ましい。
【００８８】
この方法によれば、プロジェクターが配置されるだけで、識別画像を識別し、無線機器に接続することができる。
【００８９】
上記のプロジェクターの制御方法において、前記識別画像は、ＱＲコードであることが望ましい。
【００９０】
この方法によれば、ＱＲコードを用いるので、例えば、ＩＣタグなどと比較して容易に作成することが可能となり、かかるコストを抑えることができる。
【００９１】
プロジェクターは、外部の無線機器と通信が可能なプロジェクターであって、前記プロジェクターが設置された場所に配置された識別画像を撮像する撮像部と、前記撮像部で撮像された前記識別画像から、識別情報を取得する取得部と、前記識別情報と前記無線機器とが対応付けられた対応情報に基づいて、前記取得部が取得した前記識別情報に対応する前記無線機器に接続して通信を行う無線通信部と、を備えたことを特徴とする。
【００９２】
この構成によれば、識別画像が配置された場所にプロジェクターが配置されると、識別画像から取得した識別情報に対応する無線機器に接続されるので、ユーザーにかかる手間や時間を軽減することができる。
【００９３】
上記のプロジェクターにおいて、前記プロジェクターが配置されたことを検知する検知部を備え、前記撮像部は、前記検知部が前記プロジェクターの設置を検知した場合に、前記識別画像を撮像することが望ましい。
【００９４】
この構成によれば、プロジェクターが配置されるだけで、識別画像を識別し、無線機器に接続することができる。
【００９５】
上記のプロジェクターにおいて、前記識別画像は、ＱＲコードであることが望ましい。
【００９６】
この構成によれば、ＱＲコードを用いるので、例えば、ＩＣタグなどと比較して容易に作成することが可能となり、かかるコストを抑えることができる。
【符号の説明】
【００９７】
１…プロジェクター、１ａ…本体、１ｂ…下面、２ａ，２ｂ…投写面、３ａ…無線機器としての第１スピーカー、３ｂ…無線機器としての第２スピーカー、４…設置面、５…識別画像、６…投写画像、８…撮像用光源、１０…制御部、１１…脚部、１２…記憶部、１３…入力操作部、１４…検知部としての設置検知部、１５…撮像部、１６…電源回路部、１７…画像音声供給装置、１８…画像音声入力部、１９…画像音声処理部、２０…画像投写部、３１無線通信部、３２…取得部としてのＱＲコード解析部、３３…ＱＲコード生成部、３４…対応情報としての対応テーブル、１００…第１投写システム、２００…第２投写システム。
【図１】
2020144210.tif 000003
【図２】
2020144210.tif 000004
【図３】
2020144210.tif 000005
【図４】
2020144210.tif 000006
【図５】
2020144210.tif 000007
【図６】
2020144210.tif 000008
【図７】
2020144210.tif 000009
【図８】
2020144210.tif 000010
【図９】
2020144210.tif 000011